(57)【要約】【課題】  床下の換気ができ、基礎見切りを容易且つ強固に取り付けることができる。【解決手段】  土台金物３は、固定横片４と、固定横片４から上方に突出する縦片５と、縦片５の上部に設けた外壁パネル支持部６と、縦片５の上部に設けた上被係止部４５と、固定横片４に設けた下被係止部７と、を具備する。縦片５に通気孔１１を穿設する。基礎見切り１９の上部及び下部に上係止部２０及び下係止部２１を夫々設ける。基礎見切り１９の上係止部２０及び下係止部２１間の部位に通気口３５を穿設する。固定横片４を基礎１に載設する。外壁パネル支持部６で外壁パネル２の下端を支持する。上係止部２０を土台金物３の上被係止部４５に係止する。下係止部２１を土台金物３の下被係止部７に係止する。屋外空間４３を基礎見切り１９の通気口３５及び土台金物３の通気孔１１を介して床下空間３７に連通させる。【選択図】        図１
2005240319.tif 000002
【特許請求の範囲】
【請求項１】
基礎に載設される固定横片と、固定横片から上方に向けて突出する縦片と、縦片の上部に設けた外壁パネル支持部と、縦片の上部に設けた上被係止部と、固定横片に設けた下被係止部と、を具備する土台金物の縦片に通気孔を穿設し、基礎と外壁パネルの間の屋外側の隙間を覆う基礎見切りの上部及び下部に上係止部及び下係止部を夫々設け、該基礎見切りの上係止部及び下係止部間の部位に通気口を穿設し、土台金物の固定横片を基礎に載設すると共に土台金物の外壁パネル支持部にて外壁パネルの下端を支持し、基礎見切りの上係止部を土台金物の上被係止部に係止すると共に基礎見切りの下係止部を土台金物の下被係止部に係止して、土台金物に基礎見切りを取付け、屋外空間を基礎見切りの通気口及び土台金物の通気孔を介して床下空間に連通させて成ることを特徴とする基礎への外壁パネルの取付け構造。
【発明の詳細な説明】
【技術分野】
【０００１】
本発明は基礎への外壁パネルの取付け構造に関するものである。
【背景技術】
【０００２】
住宅の外壁を形成する外壁パネルの取付け構造としては、例えば特許文献１のようにコンクリートにより形成された基礎の上面に縦片と固定横片とからなる断面Ｌ字状で長尺な土台金物を載設し、該土台金物の縦片の上端部を外壁パネルの下面に設けた凹部に嵌合させて縦片の上端部にて外壁パネルの下端を支持し、外壁パネルの上端部を梁に固定し、外壁パネルと基礎との間に長尺な基礎見切りを介装して該基礎見切りにより外壁パネルと基礎との間の屋外側の隙間を覆うものが知られており、このものは基礎見切りにより外壁パネルと基礎との間の屋外側の隙間を覆い隠して外観を良くし、屋外空間から屋内側に雨水が侵入することを防止している。
【０００３】
しかし上記外壁パネルの取付け構造にあっては、屋外空間と床下空間とが基礎見切りと土台金物の縦片により遮断されているため、床下の換気が行えないという問題がある。また一般的に基礎見切りは、基礎見切りの上端部を屋外側から打入したねじ具により外壁パネルの下端部の屋外側の面に固着することで外壁パネルと基礎との間に配設されているのだが、この場合長尺な基礎見切りを外壁パネルに取付けるには長手方向の多数の箇所をねじ具により固着する必要があるため固着作業が面倒であり、またこの場合基礎見切りの下端部は固定されていないため基礎見切りの下部が捲れてしまう等の問題が生じる。
【特許文献１】特開２０００−３３６８０３号公報
【発明の開示】
【発明が解決しようとする課題】
【０００４】
本発明は上記従来の問題点に鑑みて発明したものであって、床下の換気を行うことができ、尚且つ基礎見切りを容易且つ強固に基礎と外壁パネルの間の屋外側の隙間に配設できる基礎への外壁パネルの取付け構造を提供することを課題とするものである。
【課題を解決するための手段】
【０００５】
上記課題を解決するために本発明に係る基礎への外壁パネルの取付け構造は、基礎１に載設される固定横片４と、固定横片４から上方に向けて突出する縦片５と、縦片５の上部に設けた外壁パネル支持部６と、縦片５の上部に設けた上被係止部４５と、固定横片４に設けた下被係止部７と、を具備する土台金物３の縦片５に通気孔１１を穿設し、基礎１と外壁パネル２の間の屋外側の隙間１８を覆う基礎見切り１９の上部及び下部に上係止部２０及び下係止部２１を夫々設け、該基礎見切り１９の上係止部２０及び下係止部２１間の部位に通気口３５を穿設し、土台金物３の固定横片４を基礎１に載設すると共に土台金物３の外壁パネル支持部６にて外壁パネル２の下端を支持し、基礎見切り１９の上係止部２０を土台金物３の上被係止部４５に係止すると共に基礎見切り１９の下係止部２１を土台金物３の下被係止部７に係止して、土台金物３に基礎見切り１９を取付け、屋外空間４３を基礎見切り１９の通気口３５及び土台金物３の通気孔１１を介して床下空間３７に連通させて成ることを特徴とする。
【０００６】
上記構成により、基礎１と外壁パネル２の間の屋外側の隙間１８を基礎見切り１９により覆い隠して外観を向上でき且つ雨水が屋内側に侵入することを防止できるのは勿論、加えて屋外空間４３を基礎見切り１９の通気口３５及び土台金物３の通気孔１１を介して床下空間３７に連通させることで床下を換気でき、さらに基礎見切り１９は下係止部２１及び上係止部２０の夫々を土台金物３の下被係止部７及び上被係止部４５の夫々に係止することで土台金物３に取付けることができるため、基礎見切り１９の取付けに手間がかからず、また基礎見切り１９の上下二箇所を土台金物３に係止することで基礎見切り１９を土台金物３に強固に取付けることができる。
【発明の効果】
【０００７】
本発明では、床下を換気でき、尚且つ基礎見切りの取付けに手間がかからず、しかも基礎見切りを強固に基礎と外壁パネルの間の屋外側の隙間に配設することができる。
【発明を実施するための最良の形態】
【０００８】
以下、本発明を添付図面に示す実施形態に基いて説明する。図１に示すように長尺な土台金物３を介して基礎１に立設した基礎１と平行な外壁パネル２は、正面視矩形枠状のパネル枠１２と、パネル枠１２の屋外側の面に貼着されて屋外側からパネル枠１２の開口を覆う外装材１３と、パネル枠１２の屋内側の面に貼着されて屋内側からパネル枠１２の開口を覆う内装材１４と、外装材１３及び内装材１４間に配した断熱材１５とからなる。外壁パネル２の屋外側の面は基礎１の屋外側の面よりも屋内側に位置しており、外壁パネル２の屋内側の面は基礎１の屋内側の面よりも屋外側に位置している。
【０００９】
土台金物３は外壁パネル２の立設箇所にある布基礎からなる基礎１の上面に基礎１と平行に載設してあり、該土台金物３は一体成形品であって長手方向の長さが外壁パネル２の幅寸法と同じである。土台金物３の断面形状は長手方向全長に亘って同じであって、この土台金物３は基礎１に載設した水平な固定横片４と、固定横片４の屋外側の端部から上方に向けて突出した垂直な縦片状の下被係止部７と、固定横片４の屋内側の端部から上方に向けて突出した垂直な縦片５と、幅方向（外壁パネル２の厚み方向と同じ方向）の中間部が前記縦片５の上端に接続された水平な横片状の外壁パネル支持部６と、縦片５の上部の屋外側に設けた上被係止部４５とからなり、本例の上被係止部４５は外壁パネル支持部６の屋外側の端部から下方に向けて突出した垂直な縦片状の引掛け片８と、外壁パネル支持部６における縦片５から屋外側に突出した部分とで構成されている。この土台金物３の屋外側の端（即ち下被係止部７及び引掛け片８）は外壁パネル２の屋外側の面よりも屋内側に位置しており、土台金物３の屋内側の端（即ち外壁パネル支持部６の屋内側の端）は外壁パネル２の屋内側の面よりも屋外側に位置している。上記土台金物３の下端に設けた固定横片４は基礎１に載置してあり、該固定横片４は基礎１に植設したアンカーボルト１０により基礎１に固定されている。なお上記土台金物３の下被係止部７及び引掛け片８は固定横片４及び外壁パネル支持部６の外壁パネル２の厚み方向における同じ位置から突出しているものとする。
【００１０】
外壁パネル２の下端は上記土台金物３の上端に設けた外壁パネル支持部６に支持（載置）されており、この外壁パネル２の下端は土台金物３の外壁パネル支持部６における縦片５よりも屋外側に突出する部位にボルト固定されている。なお図示は省略するが外壁パネル２の上端部は梁に固設してあるものとする。
【００１１】
上記土台金物３の屋外側には基礎１と外壁パネル２の間の屋外側の隙間１８を覆う長尺な基礎見切り１９を基礎１と平行に取付けてあり、この基礎見切り１９は合成樹脂製又は金属製の一体形成品である。基礎見切り１９は長手方向の長さが土台金物３の長手方向の長さと同じであり、その断面形状は長手方向全長に亘って同じである。基礎見切り１９の上端部の屋内側には片状の上係止部２０を設けてあり、また下部の屋内側には片状の下係止部２１を設けている。基礎見切り１９の上係止部２０は土台金物３の上被係止部４５に係止してあり、基礎見切り１９の下係止部２１は土台金物３の下被係止部７に係止してあり、これにより基礎見切り１９を上下二箇所の係止で土台金物３に取付けている。
【００１２】
詳述すると、基礎見切り１９は、上側程屋内側に位置するように傾斜した上傾斜片２２と、上傾斜片２２の上端から屋内側に突出した上横片２３と、上横片２３の屋内側端部に設けた前記上係止部２０と、上傾斜片２２の下端から屋内側に突出した水平片２４と、水平片２４の屋内側の端部から垂下した上縦片２５と、上縦片２５の下端から屋外側の斜め下方に突出した下傾斜片２６と、上縦片２５の下端部の屋内側に設けた前記下係止部２１と、下傾斜片２６の屋外側の端部から垂下した下縦片２７と、下縦片２７の下部から屋内側に突出した下横片２８とからなる。下縦片２７は基礎１の屋外側の面の上端部を覆っており、また下横片２８は下縦片２７の屋内側の面と基礎１の屋外側の面との間を覆っており、つまり本例の基礎見切り１９は隙間１８の上端から基礎１の屋外側の面の上端部までを覆っている。
【００１３】
上記基礎見切り１９の上係止部２０は横片部２９と横片部２９の両側から上方に突出した縦片部３０ａ、３０ｂとで断面上向きコ字状に形成されており、屋外側の縦片部３０ａの中間部に上横片２３の屋内側の端を一体に接続している。即ち横片部２９と両縦片部３０ａ、３０ｂとで形成された上方に開口する係止溝３１に上被係止部４５の引掛け片８を挿入してあり、これにより基礎見切り１９の上係止部２０は基礎見切り１９の上端部が外壁パネル２の厚み方向において移動不能となるように土台金物３の上被係止部４５の引掛け片８に係止されている。また下係止部２１は上縦片２５の下端から屋内側に突出した横片部３２と、横片部３２の屋内側の端部から垂下した垂下片部３３とで断面逆Ｌ字状に形成されている。即ち垂下片部３３の屋外側の面は下被係止部７の屋内側の面に当接しており、これにより基礎見切り１９の下係止部２１は基礎見切り１９の下部が屋外側に移動不能となるように土台金物３の下被係止部７に係止されている。さらに基礎見切り１９の横片部３２の下面は土台金物３の下被係止部７の上面に当接しており、また土台金物３の上被係止部４５の引掛け片８の下面は基礎見切り１９の上係止部２０の横片部２９の上面に当接しており、これにより基礎見切り１９は上下方向にも移動不能となっている。
【００１４】
このように基礎見切り１９の上下二箇所を土台金物３に係止することで基礎見切り１９を土台金物３に強固に取付けることができる。また従来では基礎見切り１９を外壁パネル２よりも屋外側に大きく突出しないように取り付けるために、外壁パネル２のパネル枠１２の下枠１２ａを外装材１３よりも下方に突出させ、この下枠１２ａの突出部分の屋外側に露出した面に基礎見切り１９の上端部を固着していたのだが、本実施形態の基礎見切り１９の上係止部２０は外壁パネル２の屋外側の面よりも屋内側に控えた位置で土台金物３の上被係止部４５に係止されているため、図１に示すように外装材１３の下面をパネル枠１２の下枠１２ａの下面と面一として、基礎見切り１９を外壁パネル２及び基礎１よりも屋外側に大きく突出させることなく取り付けることができ、これにより木製のパネル枠１２の屋外側の面全部を外装材１３により覆うことができて、木製のパネル枠１２を防水できる。
【００１５】
また上記隙間１８を屋外側から覆う基礎見切り１９の上係止部２０及び下係止部２１間の部位には屋外側に開口する水切り溝３４を形成してあり、具体的にこの水切り溝３４は前記水平片２４と下縦片２７と下傾斜片２６とで形成されている。この水切り溝３４により基礎見切り１９を伝って雨水が屋内側に侵入することを防止できるようになっている。
【００１６】
また基礎見切り１９の水切り溝３４の上底部を形成する水平片２４には上下方向に開口する通気口３５を長手方向に複数穿設してあり、また土台金物３の縦片５の下部には通気孔１１を長手方向に複数穿設してあり、前記基礎見切り１９の通気口３５は基礎見切り１９と土台金物３とで囲まれた空間３６を介して土台金物３の通気孔１１に連通している。これにより屋外空間４３は、通気口３５、空間３６、通気孔１１、床パネル３８と基礎１との間に形成された隙間３９、を順に介して床下空間３７に連通することとなり、床下が換気されるようになっている。またこの通気口３５は特に水切り溝３４の上底部に穿設してあるため、雨水が通気口３５から侵入し難くなっている。なお床パネル３８は基礎１よりも上方に位置するように床パネル用金具等の任意の取り付け手段により基礎１に取付けられており、これにより前記隙間３９は形成されているものとする。
【００１７】
次に上記外壁パネル２の取付けについて説明する。外壁パネル２を取付ける場合は、まず土台金物３の固定横片４を基礎１に直接載置すると共に土台金物３の固定横片４に穿設したアンカーボルト用孔９に基礎１の上面から上方に突出したアンカーボルト１０を挿通し、この後アンカーボルト１０の固定横片４よりも上方に突出した雄ねじ部にナット４１を螺合して固定横片４を基礎１に固定する。
【００１８】
次に土台金物３の外壁パネル支持部６に外壁パネル２を直接載置し、この後、土台金物３の外壁パネル支持部６における縦片５よりも屋外側に突出する部位に穿設したボルト孔１６と、外壁パネル２の下枠１２ａに穿設した前記ボルト孔１６に連通するボルト挿通孔４４と、に下枠１２ａ側からボルト１７を挿通し、パネル枠１２の外壁パネル支持部６から下方に突出したボルト１７の雄ねじ部にナット４２を螺合し、このボルト１７とナット４２で外壁パネル２の下枠１２ａと土台金物３の外壁パネル支持部６を締結して固定する。ここで外壁パネル２の内装材１４及び断熱材１５はパネル枠１２の下枠１２ａと外壁パネル支持部６とをボルト１７により締結した後にパネル枠１２に取付けられるものとする。なお外壁パネル２の内装材１４及び断熱材１５は上記のように下枠１２ａと外壁パネル支持部６とをボルト１７により締結した後に現場で取付けるものに限らず、完成品である外壁パネル２を下枠１２に上方からボルト１７をねじ込んであるものとし、該完成品の外壁パネル２の下枠１２ａから突出したボルト１７の先端部にナット４２を螺合することで外壁パネル２の下枠１２ａを外壁パネル支持部６に固着しても良いものとする。
【００１９】
そして基礎見切り１９を弾性変形させて基礎見切り１９の上係止部２０を土台金物３の上被係止部４５に係止すると共に基礎見切り１９の下係止部２１を土台金物３の下被係止部７に係止して土台金物３の屋外側に基礎見切り１９を取付け、外壁パネル２の上端部を梁に取付けることで施工が完了する。なお上記の施工順序は一例であり、上記に限定されるものではないものとする。
【００２０】
このように基礎見切り１９は下係止部２１及び上係止部２０の夫々を土台金物３の下被係止部７及び上被係止部４５の夫々に係止するだけで土台金物３に容易に取り付けることができる。なお本実施形態では土台金物３の上被係止部４５を引掛け片８と外壁パネル支持部６における縦片５よりも屋外側に突出する部分とで構成したが、例えば上被係止部４５を従来例に示した土台金物３の縦片の上部に設ける等、上被係止部４５を外壁パネル支持部６とは別に縦片５の上部に設けても良いものとする。
【図面の簡単な説明】
【００２１】
【図１】本発明の実施の形態の一例であり、基礎への外壁パネルの取付け構造を示す縦断面図である。
【符号の説明】
【００２２】
１  基礎
２  外壁パネル
３  土台金物
４  固定横片
５  縦片
６  外壁パネル支持部
７  下被係止部
８  引掛け片
１１  通気孔
１８  隙間
１９  基礎見切り
２０  上係止部
２１  下係止部
３５  通気口
４５  上被係止部
【図１】
2005240319.tif 000003